【事件の表示】
　特願２０１２−５２９０７０「電子財布のための資産価値記憶、転送システム」拒絶査定不服審判事件〔平成２３年　３月２４日国際公開、ＷＯ２０１１／０３２２５７、平成２５年　２月１４日国内公表、特表２０１３−５０５４８７〕について、次のとおり審決する。
【結　論】
　本件審判の請求は、成り立たない。
【理　由】
第１　手続の経緯
　本願は，平成２２年３月３０日（パリ条約による優先権主張：平成２１年９月１７日，米国）を国際出願日とする出願であって，平成２６年２月１９日付けで拒絶理由通知がなされ，平成２６年５月２３日付けで意見書とともに手続補正書が提出されたが，平成２６年１２月５日付けで拒絶査定がなされ，これに対して平成２７年４月９日付けで拒絶査定不服審判請求がなされたものである。
     　
第２　本願発明について
　特許請求の範囲の請求項１に係る発明（以下，「本願発明」という。）は，平成２６年５月２３日付け手続補正書により補正された明細書及び図面の記載からみて，その特許請求の範囲の請求項１に記載された以下のとおりのものと認める。
　
（本願発明）
「通信媒体と，少なくとも２つの電子財布と，を備える電子資産交換システムであって，
前記電子財布のそれぞれは，
　前記通信媒体を介してメッセージを送受信するよう構成されたインターフェイスと，
　少なくとも現在の資産価値の額と，それぞれ特異な識別子と，資産転送のログと，を記憶するメモリと，
　前記インターフェイスおよび前記メモリに動作的に結合したコントローラと，
　を備え，該コントローラは，命令コードの制御下で
　ａ）前記インターフェイスを介して，少なくとも転送すべき資産価値の額を含む資産転送メッセージを受け取り，転送インプロセスを実行して対応する資産価値の転送を前記電子財布に記録し，該転送インプロセスは，受け取った資産転送メッセージを前記ログに記録された先に受け取った資産転送メッセージと比較することにより，受け取った資産転送メッセージが重複であるかどうか判定するステップ，前記受け取った資産転送メッセージが重複でないならば，前記現在の資産価値の額を転送すべき資産価値の額だけ増加させるステップ，および資産転送の情報を前記ログに記録するステップを含む，
　ｂ）前記インターフェイスを介して，少なくとも転送すべき資産価値の額を含む資産転送メッセージを受け取り，転送アウトプロセスを実行して前記電子財布からの対応する資産価値の転送を記録し，該転送アウトプロセスは，前記現在の資産価値の額が転送すべき資産価値の額以上であるかどうかを判定するステップ，前記判定が肯定であるならば，転送すべき資産価値の額を含む資産転送メッセージを生成して送信するステップ，前記現在の資産価値の額を前記転送すべき資産価値の額だけ減らすステップ，および資産転送の情報を前記ログに記録するステップを含む，
　上記ａ），ｂ）を行う，前記電子資産交換システム。」
　
第３　当審の判断
１．引用例
　原審の拒絶理由に引用された特開２００３−４４７６９号公報（以下，「引用例」という。）には，図面とともに以下の事項が記載されている。
　
（１）「【００１２】
【発明の実施の形態】以下，本発明の実施の形態について詳細に説明する。以下では，
価値譲渡情報をメールで交換する電子財布端末と，メールホストで構成される蓄積型情報交換システム
【００１３】
電子財布端末１００において，ＣＰＵ１０３は電子財布端末１００を統括し，その機能を実現する為の制御を行う。
出金側カードインターフェース１１１ａ，受取側カードインターフェース１１１ｂはそれぞれ貨幣価値を保持するＩＣカード１２０ａ，１２０ｂと電子財布端末１００のデータ交換を実現する。通信制御装置１１３は，電子メールホスト装置１３０との公衆回線１１７を経由してのデータ交換を実現する。
　　
（２）「【００１５】
図２に電子財布であるＩＣカード１２０の概観ならびに構成を示す。図２において，２０１は演算処理装置（ＣＰＵ），２０３はカードインターフェース，２０５はメモリー，２４０はバスである
【００１６】
ＣＰＵ２０１はＩＣカード１２０を統括し，その機能を実現する為の制御を行う。メモリ２０５は電子財布端末１００を制御する電子バリュー制御プログラム２１０が置かれ
電子バリュー制御プログラムに従って，ＣＰＵが動作することにより，ＩＣカードは，価値譲渡手段又は価値受取手段として機能する。また，メモリ２０５には，各ＩＣカード１２０を唯一に特定する為のカード識別２３０，ＩＣカード１２０相互の通信データを暗号化するために用いる発行者暗号鍵２３２，前記他のカードからの転出（価値譲渡）情報を受け入れて電子バリューを生成した際の情報を保持する転入履歴２３４，取引の管理や取引ごとに通信データを変化させる目的で使用する取引カウンター２３６，そしてＩＣカード１２０が保持する電子バリューの絶対値を保持するバリュー残高２３８が置かれている
　　
（３）「【００１８】以下では，
電子財布端末１００のソフトウエアについて詳細に説明する。
電子財布端末１００にセットしたＩＣカード１２０に対して操作を行う「カード間操作」か，電子メールを利用して，離れた場所の電子財布端末１００に電子バリューを送ったり，自分宛てのメールの中から電子バリューの送金用途のメールを選んで受信する「メール送受信」の何れかを選ぶことができる。
　・・・（途中省略）・・・
【００２６】続いて，図４のメール送受信処理ステップＳ４０７の詳細と処理中のディスプレイ１０９表示例を図８に示す。 まず，ステップＳ７０１でディスプレイ１０９ｂに示すような機能一覧を表示して選択を受け付ける。ここでは，
電子財布端末１００にセットした出金側ＩＣカード１２０ａから指定金額の電子バリューを引き出して指定した電子メールアドレス宛てに送付する「マネーメール送信」か，電子メールホスト装置１３０に届いている電子メールから電子バリューの送金用途のメールを選んで受信し，受け取り用ＩＣカード１２０ｂに当該金額を発生させる「マネーメール受信」の何れかを選ぶことができる
　　
（４）「【００４１】
図１６にバリュー転出ステップＳ１０１１の流れを示す。バリュー転出ステップは，上述のように，送金者のＩＣカード１２０から受取者のＩＣカードにメールで電子バリューを移動させる際に，送金者のＩＣカードにて行われるステップである。まずステップＳ１４０１でコマンド５９０に指定された引出し金額Ｖ５５４以上のバリュー残高２３８を持つかどうかを判定し，無ければステップＳ１４１１でエラーの応答５３０を電子財布端末１００に出力して即時バリュー送出ステップＳ１０１１を終了する
【００４２】
ステップＳ１４０１でコマンド５９０に指定された引出し金額Ｖ５５４以上のバリュー残高２３８があれば，ステップＳ１４０３に移行し，バリュー残高２３８から引出し金額Ｖ５５４を差し引きし，ステップＳ１４０４で自カード（出金側）１２０ａの取引カウンタ２３６に１を加え，ステップＳ１４０５で該取引カウンタ２３６の値５６２と，カード識別２３０の値５６４，ステップＳ１３０５で取得した引き出し金額５５４とコマンド５９０に指定されたバリュー転出先のカード識別５７６を結合してチェックサムを付加し，価値譲渡情報である転出情報を生成する。
取引カウンタは，取引の都度にその数を更新していくものであり，従って，取引カウンタの値は，取引毎の唯一な番号（個々の譲渡を特定可能なユニークな番号）を有し
つまり，取引カウンタに記憶される値は取引（譲渡）管理を示す譲渡管理番号である。
ステップＳ１４０７で該送出情報を，発行者暗号鍵２３２を用いてＤＥＳ暗号化し（暗号化転出情報５９４），ステップＳ１４０９で該情報５９４に送出情報応答識別５７０を付加して送出情報応答５３８を生成し，電子財布端末１００に出力してバリュー送出ステップＳ１０１１を終了する
　　
（５）「【００４３】
図１７にバリュー転入ステップＳ１０１３の流れを示す。バリュー転出ステップは，上述のように，送金者のＩＣカード１２０から受取者のＩＣカードにメールで電子バリューを移動させる際に，送金者のＩＣカードにて行われるステップである。まずステップＳ１５０１でコマンド５９２に付加されている暗号化転出情報５９４を，発行者暗号鍵２３２を用いてＤＥＳ復号化して転出情報とし，ステップＳ１５０３で該データの内容から計算されるチェックサムと，転出情報内チェックサム５３６が一致するか確認する。一致する場合は正常と判断しステップＳ１５０５に移行し，転出情報内の受取側カード識別５７６が自カード（受取側）識別２３０と一致するか確認する。一致する場合にはステップＳ１５０７に移行し，転入履歴２３４に前記転出情報内の出金側カード識別５６４が記録されているかを判定する。転入履歴２３４には過去にバリュー転入ステップＳ１０１３を正常に終了した時の出金側カード識別５６４と，同識別で最も最近（最後）にバリュー転入ステップＳ１０１３を行った際の出金側取引カウンター５６０の値を組み合わせて保持している。ステップＳ１５０７では転入履歴２３４内に前記転出情報内の出金側カード識別５６４があればステップＳ１５０９に，無ければステップＳ１５１１に移行する。ステップＳ１５０９では，転入履歴２３４で検出した出金側カード識別５６４と対で記憶している出金側取引カウンター５６０の値と，転出情報内の出金側取引カウンター５６０の値を比較し，転出情報内の出金側取引カウンター５６０の値が大きければステップＳ１５１１に移行する。転入履歴に，転入しようとする出金側カード取引カウンター５６０の値と等しい，もしくはそれを超える取引カウンター５６０の値が残っている場合，過去に転入済みのメールを再度転入に使用したと判定し，ステップＳ１５１７に進み，エラー応答を送出する。このような比較を行うことにより，過去にバリュー転入されていない送金メールの場合だけステップＳ１５１１に進み，ステップＳ１５１１では，カード１２０のバリュー残高２３８に転出情報内の引き出し金額Ｖ５５４の値を加算し，続いてステップＳ１５１３では転入履歴２３４に転出情報内の出金側カード識別５６４と該情報内の出金側取引カウンター５６０の値の対を書き込む。
ステップＳ１５１５で正常終了応答５２８を電子財布端末１００に出力してバリュー転入ステップＳ１０１３を終了する。
【００４４】ステップＳ１５０３で転出情報の内容から計算されるチェックサムと，転出情報内チェックサム５３６が一致しない場合，あるいはステップＳ１５０５で転出情報内の受取側カード識別５７６が自カード（受取側）識別２３０と一致しない場合，あるいはステップＳ１５０９で，転入履歴２３４で検出した出金側カード識別５６４と対で記憶している出金側取引カウンター５６０の値と，転出情報内の出金側取引カウンター５６０の値が一致，もしくは転出情報内の出金側取引カウンター５６０の値が小さい場合，ステップＳ１５１７に移行し，エラー応答５３０を電子財布端末１００に出力してバリュー転入ステップＳ１０１３を終了する。
【００４５】このように，本実施例においては，取引毎に取引カウンターの値を更新することにより，出金側のＩＣカードから指定した価値を減算すると共に，減算した価値と等価な価値を１度だけ受取側のＩＣカードで増加させる権利を記録した価値譲渡情報を生成することを実現しており，受取側のＩＣカードにおいて，過去に転入処理を行った取引カウンターの値よりも小さな取引カウンターを持つ電子バリューの転入を禁止することにより，取得した価値譲渡情報に基づいて受取側ＩＣカードの保持する価値を１度だけ指定量増加させることを実現している。」
　　
（６）「【００４６】以上説明した
電子財布端末１００およびＩＣカード１２０のソフトウエアによって，電子バリューがメール経由で送付される過程を順に説明する
【００４７】まず
電子財布端末１００に対して，ユーザーが図４の流れで「メール送受信」を選択し，Ｓ４０７の流れ（図８）でさらに「マネーメール送信」を選択するとステップＳ７０３が実行される
ステップＳ８０７で送金額Ｖ５５４を入力すると，送金先のメールアドレス９０５，送金先のカード識別５７６，送金額Ｖ５５４が確定し，このうちの送金先のカード識別５７６，送金額Ｖ５５４を用いて電子財布端末１００のステップＳ８０９は出金側ＩＣカード１２０ａに対してバリュー転出コマンド５９０を発行する。これに対してＩＣカード１２０ａは図１２に示したコマンド判定ステップＳ１００３からバリュー転出ステップＳ１０１１に移行し，図１６に示したように送金額Ｖ５５４以上のバリュー残高２３８があれば該バリュー残高２３８から送金額Ｖ５５４を引いて（ステップＳ１４０３），ステップＳ１４０５〜Ｓ１４０９で，図５に示したような転出情報応答５３８を生成して電子財布端末１００に返す。価値譲渡情報である転出情報応答５３８には，１）電子バリュー受取カードの識別５７６，２）電子バリュー出金側カードの識別５６４，３）電子バリュー出金側カードの取引カウンター５６０，４）送金額５５４，５）チェックサム５３６，が暗号化された状態で付加されている。電子財布端末１００は，この応答５３８から暗号化転出情報５９４を取り出して前記送金先のメールアドレス９０５に送付する
【００４８】この一連の操作により，
電子メールホスト装置１３０の記憶装置１３７に置かれたメールボックス１３９の送金先のメールアドレス９０５を保持するユーザーの記憶域に，暗号化転出情報を含み，「送金メール：」という題名を付与された電子メールが蓄積される
【００４９】この後に，
送金先のメールアドレス９０５を保持するユーザーが電子財布端末１００の図４の流れで「メール送受信」を選択し，Ｓ４０７の流れ（図８）でさらに「マネーメール受信」を選択するとステップＳ７０５が実行される。
ステップＳ９０１で電子メールホスト装置１３０に接続して，ステップＳ９０３で当該ユーザー宛ての新着メールのリストを取得する。この後，ステップＳ９０５で，「送金メール：」という題名のメールがあるかを判定し，（上記説明のように既に「送金メール：」という題名で送付してあるので）ステップＳ９０７に移行して該当するメールのうち古い者から順に１件受信してステップＳ９０９で受信メールから暗号化転出情報５９４を取り出す
分離した暗号化転出情報５９４をステップＳ９１１ではバリュー転入コマンド５９６に変換し，受取側ＩＣカード１２０ｂに発行する。これに対してＩＣカード１２０ｂは図１２に示したコマンド判定ステップＳ１００３からバリュー転入ステップＳ１０１３に移行し，図１７に示したようにステップＳ１５０１で暗号化転出情報５９４から，１）電子バリュー受取カードの識別５７６，２）電子バリュー出金側カードの識別５６４，３）電子バリュー出金側カードの取引カウンター５６０，４）送金額５５４，５）チェックサム５３６，を取り出す。ステップＳ１５０３によりチェックサム５３６が正しい，つまりデータが壊れていないことを確認後，ステップＳ１５０５で電子バリュー受取カードの識別５７６が現在処理を行っているＩＣカード１２０ｂの識別２３０と一致するかを確認する。
次にステップＳ１５０７とＳ１５０９で電子バリュー出金側カードの識別５６４が転入履歴２３４に含まれるか，含まれる場合に転入履歴２３４に記録された当該出金側カード識別５６４の転入時の出金側カード取引カウンター５６０と今回転入する時点での取引カウンター５６０を比較する。
【００５０】
転入しようとする出金側カード取引カウンター５６０の値と等しい，もしくはそれを超える取引カウンター５６０の値が転入履歴に残っている場合，過去に転入済みのメールを再度転入に使用したと判定する。過去に処理されていない送金メールの場合だけステップＳ１５１１に進み，受取側カードのバリュー残高が送金額５５４だけ加算される。その後，ステップＳ１５１３で今処理した転入処理の出金側カードの識別５６４と転入する時点での取引カウンター５６０を転入履歴２３４に書き込む。そして正常終了したことがＩＣカード１２０ｂから電子財布端末１００に応答で返される。これら一連の処理により，電子メールでの電子バリューの授受が実現される
【００５１】なお，
電子メールは受信者から他の受信者に転送することが容易に行え，その後再度元の受信者に戻すことで２つ以上の複製を作ることも容易である。このような複製手段で送金メール自体を複製することは可能であるが，最初のメールに対するバリュー転入ステップＳ１０１３で転入履歴２３４に出金側カード識別５６４と取引カウンター５６０を記憶し，過去に転入処理を行った取引カウンターの値よりも小さな取引カウンターを持つ電子バリューの転入を禁止することにより，２回目以降の電子バリューの転入を阻止することができる
　
（７）以上の（１）〜（６）の記載についてまとめる。
ア．上記（１）の記載によると，引用例には「価値譲渡情報をメールで交換する電子財布端末と，メールホストで構成される蓄積型情報交換システム」が記載されている。
　また，上記（１）の記載によると，「電子財布端末１００」において，「ＣＰＵ１０３は電子財布端末１００を統括し，その機能を実現する為の制御を行い，出金側カードインターフェース１１１ａ，受取側カードインターフェース１１１ｂはそれぞれ貨幣価値を保持するＩＣカード１２０ａ，１２０ｂと電子財布端末１００のデータ交換を実現し，通信制御装置１１３は，電子メールホスト装置１３０との公衆回線１１７を経由してのデータ交換を実現するもの」であるといえる。
イ．上記（２）の記載によると，「電子財布」として「ＩＣカード１２０」が使用されることが記載されており，その具体的な構成は，「演算処理装置（ＣＰＵ）２０１，カードインターフェース２０３，メモリー２０５，バス２４０から構成され，ＣＰＵ２０１はＩＣカード１２０を統括し，その機能を実現する為の制御を行い，メモリ２０５は電子財布端末１００を制御する電子バリュー制御プログラム２１０が置かれ，該電子バリュー制御プログラムに従って，ＣＰＵが動作することにより，ＩＣカードは，価値譲渡手段又は価値受取手段として機能するものであり，また，メモリ２０５には，各ＩＣカード１２０を唯一に特定する為のカード識別２３０，ＩＣカード１２０相互の通信データを暗号化するために用いる発行者暗号鍵２３２，前記他のカードからの転出（価値譲渡）情報を受け入れて電子バリューを生成した際の情報を保持する転入履歴２３４，取引の管理や取引ごとに通信データを変化させる目的で使用する取引カウンター２３６，そしてＩＣカード１２０が保持する電子バリューの絶対値を保持するバリュー残高２３８が置かれ」るものといえる。
ウ．上記（３）の記載によると，「電子財布端末１００のソフトウエア」は，「電子財布端末１００にセットしたＩＣカード１２０に対して操作を行う「カード間操作」か，電子メールを利用して，離れた場所の電子財布端末１００に電子バリューを送ったり，自分宛てのメールの中から電子バリューの送金用途のメールを選んで受信する「メール送受信」の何れかを選ぶことができ，さらに，「メール送受信」が選択された場合には，「電子財布端末１００にセットした出金側ＩＣカード１２０ａから指定金額の電子バリューを引き出して指定した電子メールアドレス宛てに送付する「マネーメール送信」か，電子メールホスト装置１３０に届いている電子メールから電子バリューの送金用途のメールを選んで受信し，受け取り用ＩＣカード１２０ｂに当該金額を発生させる「マネーメール受信」の何れかを選ぶことができるもの」といえる。
エ．上記（６）の記載によると，「電子財布端末１００およびＩＣカード１２０のソフトウエアによって，電子バリューがメール経由で送付される過程」について記載されており，まず，「電子財布端末１００に対して，ユーザーが「メール送受信」を選択し，さらに「マネーメール送信」を選択する」場合に，「送金額Ｖ５５４を入力すると，送金先のメールアドレス９０５，送金先のカード識別５７６，送金額Ｖ５５４が確定し（ステップＳ８０７），このうちの送金先のカード識別５７６，送金額Ｖ５５４を用いて出金側ＩＣカード１２０ａに対してバリュー転出コマンド５９０を発行し（ステップＳ８０９），これに対してＩＣカード１２０ａはコマンド判定ステップＳ１００３からバリュー転出ステップＳ１０１１に移行する」処理が行われるものである。
　また，上記（４）には，該「バリュー転出ステップＳ１０１１」についての詳細な処理が記載されている。
　そして，上記（６）及び（４）における「マネーメール送信」時の処理についてまとめると，
「電子財布端末１００に対して，ユーザーが「メール送受信」を選択し，さらに「マネーメール送信」を選択すると実行され，
　送金額Ｖ５５４を入力すると，送金先のメールアドレス９０５，送金先のカード識別５７６，送金額Ｖ５５４が確定し（ステップＳ８０７），このうちの送金先のカード識別５７６，送金額Ｖ５５４を用いて出金側ＩＣカード１２０ａに対してバリュー転出コマンド５９０を発行し（ステップＳ８０９），これに対してＩＣカード１２０ａはコマンド判定ステップＳ１００３からバリュー転出ステップＳ１０１１に移行するものであり，
　バリュー転出ステップＳ１０１１は，
　送金者のＩＣカード１２０から受取者のＩＣカードにメールで電子バリューを移動させる際に，送金者のＩＣカードにて行われるステップであり，まず，コマンド５９０に指定された引出し金額Ｖ５５４以上のバリュー残高２３８を持つかどうかを判定し（ステップＳ１４０１），
　無ければエラーの応答５３０を電子財布端末１００に出力して（ステップＳ１４１１）終了し，
　コマンド５９０に指定された引出し金額Ｖ５５４以上のバリュー残高２３８があれば（ステップＳ１４０１），バリュー残高２３８から引出し金額Ｖ５５４を差し引きし（ステップＳ１４０３），自カード（出金側）１２０ａの取引カウンタ２３６に１を加え（ステップＳ１４０４），該取引カウンタ２３６の値５６２と，カード識別２３０の値５６４，ステップＳ１３０５で取得した引き出し金額５５４とコマンド５９０に指定されたバリュー転出先のカード識別５７６を結合してチェックサムを付加し，価値譲渡情報である転出情報を生成する（ステップＳ１４０５）ものであり，取引カウンタは，取引の都度にその数を更新していくものであり，従って，取引カウンタの値は，取引毎の唯一な番号（個々の譲渡を特定可能なユニークな番号）を有し，取引（譲渡）管理を示す譲渡管理番号であり，その後，該送出情報を，発行者暗号鍵２３２を用いてＤＥＳ暗号化し（暗号化転出情報５９４）（ステップＳ１４０７），該情報５９４に送出情報応答識別５７０を付加して送出情報応答５３８を生成し，電子財布端末１００に出力し（ステップＳ１４０９），バリュー送出ステップＳ１０１１を終了し，
　電子財布端末１００は，この応答５３８から暗号化転出情報５９４を取り出して前記送金先のメールアドレス９０５に送付するものであり，
　電子メールホスト装置１３０の記憶装置１３７に置かれたメールボックス１３９の送金先のメールアドレス９０５を保持するユーザーの記憶域に，暗号化転出情報を含み，「送金メール：」という題名を付与された電子メールが蓄積されるもの」であることが記載されているといえる。
エ．上記（６）の記載によると，「送金先のメールアドレス９０５を保持するユーザーが電子財布端末１００において「メール送受信」を選択し，さらに「マネーメール受信」を選択する」場合に，「電子メールホスト装置１３０に接続し（ステップＳ９０１），当該ユーザー宛ての新着メールのリストを取得し（ステップＳ９０３），この後，「送金メール：」という題名のメールがあるかを判定し（ステップＳ９０５），該当するメールのうち古い者から順に１件受信し（ステップＳ９０７），受信メールから暗号化転出情報５９４を取り出し（ステップＳ９０９），分離した暗号化転出情報５９４をバリュー転入コマンド５９６に変換し，受取側ＩＣカード１２０ｂに発行し（ステップＳ９１１），これに対してＩＣカード１２０ｂはコマンド判定ステップＳ１００３からバリュー転入ステップＳ１０１３に移行する」処理が行われるものである。
　また，上記（５）には，該「バリュー転入ステップＳ１０１３」についての詳細な処理が記載されている。
　そして，上記（６）及び（５）における「マネーメール受信」時の処理についてまとめると，
「送金先のメールアドレス９０５を保持するユーザーが電子財布端末１００において「メール送受信」を選択し，さらに「マネーメール受信」を選択すると，
　電子メールホスト装置１３０に接続し（ステップＳ９０１），当該ユーザー宛ての新着メールのリストを取得し（ステップＳ９０３），この後，「送金メール：」という題名のメールがあるかを判定し（ステップＳ９０５），該当するメールのうち古い者から順に１件受信し（ステップＳ９０７），受信メールから暗号化転出情報５９４を取り出し（ステップＳ９０９），分離した暗号化転出情報５９４をバリュー転入コマンド５９６に変換し，受取側ＩＣカード１２０ｂに発行し（ステップＳ９１１），これに対してＩＣカード１２０ｂはコマンド判定ステップＳ１００３からバリュー転入ステップＳ１０１３に移行するものであり，
　バリュー転入ステップＳ１０１３は，
　送金者のＩＣカード１２０から受取者のＩＣカードにメールで電子バリューを移動させる際に，送金者のＩＣカードにて行われるステップであり，まず，コマンド５９２に付加されている暗号化転出情報５９４を，発行者暗号鍵２３２を用いてＤＥＳ復号化して転出情報とし（ステップＳ１５０１），該データの内容から計算されるチェックサムと，転出情報内チェックサム５３６が一致するか確認し（ステップＳ１５０３），一致する場合は正常と判断し，転出情報内の受取側カード識別５７６が自カード（受取側）識別２３０と一致するか確認し（ステップＳ１５０５），一致する場合には，転入履歴２３４に前記転出情報内の出金側カード識別５６４が記録されているかを判定し（ステップＳ１５０７），ここで転入履歴２３４には過去にバリュー転入ステップＳ１０１３を正常に終了した時の出金側カード識別５６４と，同識別で最も最近（最後）にバリュー転入ステップＳ１０１３を行った際の出金側取引カウンター５６０の値を組み合わせて保持しており，
　転入履歴２３４内に前記転出情報内の出金側カード識別５６４があれば，転入履歴２３４で検出した出金側カード識別５６４と対で記憶している出金側取引カウンター５６０の値と，転出情報内の出金側取引カウンター５６０の値を比較し（ステップＳ１５０９），
　転出情報内の出金側取引カウンター５６０の値が大きければ，カード１２０のバリュー残高２３８に転出情報内の引き出し金額Ｖ５５４の値を加算し（ステップＳ１５１１），
　転入履歴に，転入しようとする出金側カード取引カウンター５６０の値と等しい，もしくはそれを超える取引カウンター５６０の値が残っている場合，過去に転入済みのメールを再度転入に使用したと判定し，エラー応答を送出し（ステップＳ１５１７），
　転入履歴２３４内に前記転出情報内の出金側カード識別５６４が無ければ，カード１２０のバリュー残高２３８に転出情報内の引き出し金額Ｖ５５４の値を加算し（ステップＳ１５１１），
　続いて転入履歴２３４に転出情報内の出金側カード識別５６４と該情報内の出金側取引カウンター５６０の値の対を書き込み（ステップＳ１５１３），正常終了応答５２８を電子財布端末１００に出力し（ステップＳ１５１５），バリュー転入ステップＳ１０１３を終了し，
　そして正常終了したことがＩＣカード１２０ｂから電子財布端末１００に応答で返され，これら一連の処理により，電子メールでの電子バリューの授受が実現されるもの」であることが記載されているといえる。
オ．以上のことから，上記（１）〜（６）には以下の発明（以下，「引用発明」という。）が記載されていると認められる。
　　
（引用発明）
「価値譲渡情報をメールで交換する電子財布端末と，メールホストで構成される蓄積型情報交換システムであって，
　電子財布端末１００において，ＣＰＵ１０３は電子財布端末１００を統括し，その機能を実現する為の制御を行い，出金側カードインターフェース１１１ａ，受取側カードインターフェース１１１ｂはそれぞれ貨幣価値を保持するＩＣカード１２０ａ，１２０ｂと電子財布端末１００のデータ交換を実現し，通信制御装置１１３は，電子メールホスト装置１３０との公衆回線１１７を経由してのデータ交換を実現するものであり，
　電子財布であるＩＣカード１２０は，演算処理装置（ＣＰＵ）２０１，カードインターフェース２０３，メモリー２０５，バス２４０から構成され，ＣＰＵ２０１はＩＣカード１２０を統括し，その機能を実現する為の制御を行い，メモリ２０５は電子財布端末１００を制御する電子バリュー制御プログラム２１０が置かれ，該電子バリュー制御プログラムに従って，ＣＰＵが動作することにより，ＩＣカードは，価値譲渡手段又は価値受取手段として機能するものであり，また，メモリ２０５には，各ＩＣカード１２０を唯一に特定する為のカード識別２３０，ＩＣカード１２０相互の通信データを暗号化するために用いる発行者暗号鍵２３２，前記他のカードからの転出（価値譲渡）情報を受け入れて電子バリューを生成した際の情報を保持する転入履歴２３４，取引の管理や取引ごとに通信データを変化させる目的で使用する取引カウンター２３６，そしてＩＣカード１２０が保持する電子バリューの絶対値を保持するバリュー残高２３８が置かれており，
　電子財布端末１００のソフトウエアにより，電子財布端末１００にセットしたＩＣカード１２０に対して操作を行う「カード間操作」か，電子メールを利用して，離れた場所の電子財布端末１００に電子バリューを送ったり，自分宛てのメールの中から電子バリューの送金用途のメールを選んで受信する「メール送受信」の何れかを選ぶことができ，さらに，「メール送受信」が選択された場合には，電子財布端末１００にセットした出金側ＩＣカード１２０ａから指定金額の電子バリューを引き出して指定した電子メールアドレス宛てに送付する「マネーメール送信」か，電子メールホスト装置１３０に届いている電子メールから電子バリューの送金用途のメールを選んで受信し，受け取り用ＩＣカード１２０ｂに当該金額を発生させる「マネーメール受信」の何れかを選ぶことができるものであり，
　電子財布端末１００およびＩＣカード１２０のソフトウエアによって，電子バリューがメール経由で送付される過程は，
（ｉ）電子財布端末１００に対して，ユーザーが「メール送受信」を選択し，さらに「マネーメール送信」を選択すると実行され，
　送金額Ｖ５５４を入力すると，送金先のメールアドレス９０５，送金先のカード識別５７６，送金額Ｖ５５４が確定し（ステップＳ８０７），このうちの送金先のカード識別５７６，送金額Ｖ５５４を用いて出金側ＩＣカード１２０ａに対してバリュー転出コマンド５９０を発行し（ステップＳ８０９），これに対してＩＣカード１２０ａはコマンド判定ステップＳ１００３からバリュー転出ステップＳ１０１１に移行するものであり，
　バリュー転出ステップＳ１０１１は，
　送金者のＩＣカード１２０から受取者のＩＣカードにメールで電子バリューを移動させる際に，送金者のＩＣカードにて行われるステップであり，まず，コマンド５９０に指定された引出し金額Ｖ５５４以上のバリュー残高２３８を持つかどうかを判定し（ステップＳ１４０１），
　無ければエラーの応答５３０を電子財布端末１００に出力して（ステップＳ１４１１）終了し，
　コマンド５９０に指定された引出し金額Ｖ５５４以上のバリュー残高２３８があれば（ステップＳ１４０１），バリュー残高２３８から引出し金額Ｖ５５４を差し引きし（ステップＳ１４０３），自カード（出金側）１２０ａの取引カウンタ２３６に１を加え（ステップＳ１４０４），該取引カウンタ２３６の値５６２と，カード識別２３０の値５６４，ステップＳ１３０５で取得した引き出し金額５５４とコマンド５９０に指定されたバリュー転出先のカード識別５７６を結合してチェックサムを付加し，価値譲渡情報である転出情報を生成する（ステップＳ１４０５）ものであり，取引カウンタは，取引の都度にその数を更新していくものであり，従って，取引カウンタの値は，取引毎の唯一な番号（個々の譲渡を特定可能なユニークな番号）を有し，取引（譲渡）管理を示す譲渡管理番号であり，その後，該送出情報を，発行者暗号鍵２３２を用いてＤＥＳ暗号化し（暗号化転出情報５９４）（ステップＳ１４０７），該情報５９４に送出情報応答識別５７０を付加して送出情報応答５３８を生成し，電子財布端末１００に出力し（ステップＳ１４０９），バリュー送出ステップＳ１０１１を終了し，
　電子財布端末１００は，この応答５３８から暗号化転出情報５９４を取り出して前記送金先のメールアドレス９０５に送付するものであり，
　電子メールホスト装置１３０の記憶装置１３７に置かれたメールボックス１３９の送金先のメールアドレス９０５を保持するユーザーの記憶域に，暗号化転出情報を含み，「送金メール：」という題名を付与された電子メールが蓄積されるものであり，
（ii）送金先のメールアドレス９０５を保持するユーザーが電子財布端末１００において「メール送受信」を選択し，さらに「マネーメール受信」を選択すると，
　電子メールホスト装置１３０に接続し（ステップＳ９０１），当該ユーザー宛ての新着メールのリストを取得し（ステップＳ９０３），この後，「送金メール：」という題名のメールがあるかを判定し（ステップＳ９０５），該当するメールのうち古い者から順に１件受信し（ステップＳ９０７），受信メールから暗号化転出情報５９４を取り出し（ステップＳ９０９），分離した暗号化転出情報５９４をバリュー転入コマンド５９６に変換し，受取側ＩＣカード１２０ｂに発行し（ステップＳ９１１），これに対してＩＣカード１２０ｂはコマンド判定ステップＳ１００３からバリュー転入ステップＳ１０１３に移行するものであり，
　バリュー転入ステップＳ１０１３は，
　送金者のＩＣカード１２０から受取者のＩＣカードにメールで電子バリューを移動させる際に，送金者のＩＣカードにて行われるステップであり，まず，コマンド５９２に付加されている暗号化転出情報５９４を，発行者暗号鍵２３２を用いてＤＥＳ復号化して転出情報とし（ステップＳ１５０１），該データの内容から計算されるチェックサムと，転出情報内チェックサム５３６が一致するか確認し（ステップＳ１５０３），一致する場合は正常と判断し，転出情報内の受取側カード識別５７６が自カード（受取側）識別２３０と一致するか確認し（ステップＳ１５０５），一致する場合には，転入履歴２３４に前記転出情報内の出金側カード識別５６４が記録されているかを判定し（ステップＳ１５０７），ここで転入履歴２３４には過去にバリュー転入ステップＳ１０１３を正常に終了した時の出金側カード識別５６４と，同識別で最も最近（最後）にバリュー転入ステップＳ１０１３を行った際の出金側取引カウンター５６０の値を組み合わせて保持しており，
　転入履歴２３４内に前記転出情報内の出金側カード識別５６４があれば，転入履歴２３４で検出した出金側カード識別５６４と対で記憶している出金側取引カウンター５６０の値と，転出情報内の出金側取引カウンター５６０の値を比較し（ステップＳ１５０９），
　転出情報内の出金側取引カウンター５６０の値が大きければ，カード１２０のバリュー残高２３８に転出情報内の引き出し金額Ｖ５５４の値を加算し（ステップＳ１５１１），
　転入履歴に，転入しようとする出金側カード取引カウンター５６０の値と等しい，もしくはそれを超える取引カウンター５６０の値が残っている場合，過去に転入済みのメールを再度転入に使用したと判定し，エラー応答を送出し（ステップＳ１５１７），
　転入履歴２３４内に前記転出情報内の出金側カード識別５６４が無ければ，カード１２０のバリュー残高２３８に転出情報内の引き出し金額Ｖ５５４の値を加算し（ステップＳ１５１１），
　続いて転入履歴２３４に転出情報内の出金側カード識別５６４と該情報内の出金側取引カウンター５６０の値の対を書き込み（ステップＳ１５１３），正常終了応答５２８を電子財布端末１００に出力し（ステップＳ１５１５），バリュー転入ステップＳ１０１３を終了し，
　そして正常終了したことがＩＣカード１２０ｂから電子財布端末１００に応答で返され，これら一連の処理により，電子メールでの電子バリューの授受が実現されるものであり，
　電子メールは受信者から他の受信者に転送することが容易に行え，その後再度元の受信者に戻すことで２つ以上の複製を作ることも容易であり，このような複製手段で送金メール自体を複製することは可能であるが，最初のメールに対するバリュー転入ステップＳ１０１３で転入履歴２３４に出金側カード識別５６４と取引カウンター５６０を記憶し，過去に転入処理を行った取引カウンターの値よりも小さな取引カウンターを持つ電子バリューの転入を禁止することにより，２回目以降の電子バリューの転入を阻止することができる，蓄積型情報交換システム。」
　
２．対比
　そこで，本願発明と引用発明を対比する。
（１）引用発明の「電子財布であるＩＣカード１２０は，演算処理装置（ＣＰＵ）２０１，カードインターフェース２０３，メモリー２０５，バス２４０から構成され，ＣＰＵ２０１はＩＣカード１２０を統括し，その機能を実現する為の制御を行い，メモリ２０５は電子財布端末１００を制御する電子バリュー制御プログラム２１０が置かれ，該電子バリュー制御プログラムに従って，ＣＰＵが動作することにより，ＩＣカードは，価値譲渡手段又は価値受取手段として機能するものであり，また，メモリ２０５には，各ＩＣカード１２０を唯一に特定する為のカード識別２３０，ＩＣカード１２０相互の通信データを暗号化するために用いる発行者暗号鍵２３２，前記他のカードからの転出（価値譲渡）情報を受け入れて電子バリューを生成した際の情報を保持する転入履歴２３４，取引の管理や取引ごとに通信データを変化させる目的で使用する取引カウンター２３６，そしてＩＣカード１２０が保持する電子バリューの絶対値を保持するバリュー残高２３８が置かれており」との事項によると，「電子財布であるＩＣカード１２０」には，その「メモリ２０５」に「ＩＣカード１２０が保持する電子バリューの絶対値を保持するバリュー残高２３８」が置かれ，「ＣＰＵが動作することにより，ＩＣカードは，価値譲渡手段又は価値受取手段として機能する」ものであることから，本願発明の「電子財布」に相当するものである。
　また，引用発明の「電子財布であるＩＣカード１２０」の「メモリ２０５」には，「各ＩＣカード１２０を唯一に特定する為のカード識別２３０」，「前記他のカードからの転出（価値譲渡）情報を受け入れて電子バリューを生成した際の情報を保持する転入履歴２３４」及び「ＩＣカード１２０が保持する電子バリューの絶対値を保持するバリュー残高２３８」が置かれており，これらは本願発明の「電子財布」の「メモリ」，及び，当該「メモリ」に記憶される「それぞれ特異な識別子」，「資産転送のログ」及び「現在の資産価値の額」に相当するものである。
　また，引用発明の「電子財布であるＩＣカード１２０」は，「演算処理装置（ＣＰＵ）２０１，カードインターフェース２０３，メモリー２０５，バス２４０から構成され」ており，上記「カードインターフェース２０３」は，「電子財布であるＩＣカード１２０」の外部とメッセージを送受信するように構成されるものであるから，本願発明の「メッセージを送受信するよう構成されたインターフェイス」に対応し，また，上記「演算処理装置（ＣＰＵ）２０１」は，「バス２４０」を介して「カードインターフェース２０３」と「メモリー２０５」に結合され，「電子バリュー制御プログラム２１０」に従って動作すること，すなわち命令コードの制御下で「電子財布であるＩＣカード１２０」を「価値譲渡手段又は価値受取手段」として機能させるものであることから，引用発明の「演算処理装置（ＣＰＵ）２０１」は本願発明の「コントローラ」に相当するものである。
（２）引用発明の「価値譲渡情報をメールで交換する電子財布端末と，メールホストで構成される蓄積型情報交換システム」，「電子財布端末１００において，ＣＰＵ１０３は電子財布端末１００を統括し，その機能を実現する為の制御を行い，出金側カードインターフェース１１１ａ，受取側カードインターフェース１１１ｂはそれぞれ貨幣価値を保持するＩＣカード１２０ａ，１２０ｂと電子財布端末１００のデータ交換を実現し，通信制御装置１１３は，電子メールホスト装置１３０との公衆回線１１７を経由してのデータ交換を実現するものであり」，及び，「電子財布端末１００のソフトウエアにより，電子財布端末１００にセットしたＩＣカード１２０に対して操作を行う「カード間操作」か，電子メールを利用して，離れた場所の電子財布端末１００に電子バリューを送ったり，自分宛てのメールの中から電子バリューの送金用途のメールを選んで受信する「メール送受信」の何れかを選ぶことができ，さらに，「メール送受信」が選択された場合には，電子財布端末１００にセットした出金側ＩＣカード１２０ａから指定金額の電子バリューを引き出して指定した電子メールアドレス宛てに送付する「マネーメール送信」か，電子メールホスト装置１３０に届いている電子メールから電子バリューの送金用途のメールを選んで受信し，受け取り用ＩＣカード１２０ｂに当該金額を発生させる「マネーメール受信」の何れかを選ぶことができるものであり」との事項によれば，引用発明の「蓄積型情報交換システム」は，「電子財布端末１００にセットした出金側ＩＣカード１２０ａから指定金額の電子バリューを引き出して指定した電子メールアドレス宛てに送付」し，また，「電子メールホスト装置１３０に届いている電子メールから電子バリューの送金用途のメールを選んで受信し，受け取り用ＩＣカード１２０ｂに当該金額を発生させる」ことにより，「出金側ＩＣカード１２０ａ」及び「受け取り用ＩＣカード１２０ｂ」の２つの電子財布の間で，「公衆回線１１７を経由してのデータ交換」による「電子バリュー」の価値譲渡及び価値受取を行うものであることから，引用発明も「公衆回線」と「２つの電子財布」とを備える「電子資産交換システム」であるといえる。
　そうすると，本願発明と引用発明は，後記する点で相違するものの，  
「通信媒体と，少なくとも２つの電子財布と，を備える電子資産交換システムであって，
　前記電子財布のそれぞれは，
　メッセージを送受信するよう構成されたインターフェイスと，
　少なくとも現在の資産価値の額と，それぞれ特異な識別子と，資産転送のログと，を記憶するメモリと，
　前記インターフェイスおよび前記メモリに動作的に結合したコントローラと，
　を備え」
る点，及び，
「該コントローラは，命令コードの制御下」
で動作するものである点で共通する。
（３）本願発明のｂ）の処理と，引用発明の（ｉ）で示す処理を対比する。
（３−１）引用発明の（ｉ）で示す処理は，「電子財布端末１００に対して，ユーザーが「メール送受信」を選択し，さらに「マネーメール送信」を選択すると実行され」るものであり，「送金額Ｖ５５４」を入力すると，「送金先のカード識別５７６，送金額Ｖ５５４を用いて出金側ＩＣカード１２０ａに対してバリュー転出コマンド５９０を発行し（ステップＳ８０９）」，「これに対してＩＣカード１２０ａはコマンド判定ステップＳ１００３からバリュー転出ステップＳ１０１１に移行する」ものであり，該「バリュー転出コマンド５９０」により（ｉ）で示す「バリュー転出ステップＳ１０１１」が実行されてバリューの転送が行われるものである。また，「電子財布端末１００」から発行された「バリュー転出コマンド５９０」が，該「電子財布端末１００」の「出金側カードインターフェース１１１ａ」と接続された「出金側ＩＣカード１２０ａ」の「カードインターフェース２０３」を介して受け取られるものであるから，前記「バリュー転出コマンド５９０」に含まれる「送金先のカード識別５７６」及び「送金額Ｖ５５４」を「出金側ＩＣカード１２０ａ」が受け取ることは，本願発明の「前記インターフェイスを介して，少なくとも転送すべき資産価値の額を含む資産転送メッセージを受け取り」に相当するものである。
（３−２）引用発明では「バリュー転出コマンド５９０」により「ＩＣカード１２０ａ」は「バリュー転出ステップＳ１０１１に移行する」ものであり，該「バリュー転出ステップＳ１０１」は，「送金者のＩＣカード１２０から受取者のＩＣカードにメールで電子バリューを移動させる際に，送金者のＩＣカードにて行われるステップ」であることから，引用発明の「バリュー転出ステップＳ１０１１」は本願発明の「転送アウトプロセス」に対応するものである。
　また，引用発明の「バリュー転出ステップＳ１０１１」では，「まず，コマンド５９０に指定された引出し金額Ｖ５５４以上のバリュー残高２３８を持つかどうかを判定し（ステップＳ１４０１）」ており，当該ステップは本願発明の「前記現在の資産価値の額が転送すべき資産価値の額以上であるかどうかを判定するステップ」に相当する。
（３−３）引用発明の「コマンド５９０に指定された引出し金額Ｖ５５４以上のバリュー残高２３８があれば（ステップＳ１４０１），バリュー残高２３８から引出し金額Ｖ５５４を差し引きし（ステップＳ１４０３）」によれば，上記（３−２）の判定が肯定であれば，「バリュー残高２３８」から「引出し金額Ｖ５５４」を差し引くのであるから，引用発明の当該処理は，本願発明の「前記判定が肯定であるならば」という条件において行われる「前記現在の資産価値の額を前記転送すべき資産価値の額だけ減らすステップ」に相当する。
（３−４）引用発明では上記（３−３）の「コマンド５９０に指定された引出し金額Ｖ５５４以上のバリュー残高２３８があれば（ステップＳ１４０１），バリュー残高２３８から引出し金額Ｖ５５４を差し引きし（ステップＳ１４０３）」，さらに「自カード（出金側）１２０ａの取引カウンタ２３６に１を加え（ステップＳ１４０４），該取引カウンタ２３６の値５６２と，カード識別２３０の値５６４，ステップＳ１３０５で取得した引き出し金額５５４とコマンド５９０に指定されたバリュー転出先のカード識別５７６を結合してチェックサムを付加し，価値譲渡情報である転出情報を生成する（ステップＳ１４０５）ものであり，取引カウンタは，取引の都度にその数を更新していくものであり，従って，取引カウンタの値は，取引毎の唯一な番号（個々の譲渡を特定可能なユニークな番号）を有し，取引（譲渡）管理を示す譲渡管理番号であり，その後，該送出情報を，発行者暗号鍵２３２を用いてＤＥＳ暗号化し（暗号化転出情報５９４）（ステップＳ１４０７），該情報５９４に送出情報応答識別５７０を付加して送出情報応答５３８を生成し，電子財布端末１００に出力し（ステップＳ１４０９），バリュー送出ステップＳ１０１１を終了」するものである。
　この事項によれば，引用発明は「自カード（出金側）１２０ａの取引カウンタ２３６に１を加え（ステップＳ１４０４），該取引カウンタ２３６の値５６２と，カード識別２３０の値５６４，ステップＳ１３０５で取得した引き出し金額５５４とコマンド５９０に指定されたバリュー転出先のカード識別５７６を結合してチェックサムを付加し，価値譲渡情報である転出情報を生成する（ステップＳ１４０５）」ものであり，ここで，上記「取引カウンタ」は「取引の都度にその数を更新していくものであり，従って，取引カウンタの値は，取引毎の唯一な番号（個々の譲渡を特定可能なユニークな番号）を有し，取引（譲渡）管理を示す譲渡管理番号であり」，生成された「転出情報」は「引き出し金額５５４」を含み，暗号化されて「暗号化転出情報５９４」とされ，さらに「送出情報応答識別５７０を付加して送出情報応答５３８を生成し」，「電子財布端末１００」に出力されるものであるから，引用発明の「転出情報」の生成，及び，「電子財布端末１００」への出力は，本願発明の「転送すべき資産価値の額を含む資産転送メッセージを生成して送信するステップ」に相当するものである。
（３−５）そして，引用発明は，「バリュー転出ステップＳ１０１１」を実行することにより，「バリュー残高２３８から引出し金額Ｖ５５４を差し引きし（ステップＳ１４０３）」との処理が行われ，「電子財布」である「出金側ＩＣカード１２０ａ」から「引出し金額Ｖ５５４」（「資産価値」）の「差し引き」（転送）が記録されるものであることから，引用発明のこれらの処理は本願発明の「転送アウトプロセスを実行して前記電子財布からの対応する資産価値の転送を記録し」に相当するものである。
（３−６）以上の（３−１）〜（３−５）の検討によれば，本願発明と引用発明は，後記する点で相違するものの，
「ｂ）前記インターフェイスを介して，少なくとも転送すべき資産価値の額を含む資産転送メッセージを受け取り，転送アウトプロセスを実行して前記電子財布からの対応する資産価値の転送を記録し，該転送アウトプロセスは，前記現在の資産価値の額が転送すべき資産価値の額以上であるかどうかを判定するステップ，前記判定が肯定であるならば，転送すべき資産価値の額を含む資産転送メッセージを生成して送信するステップ，前記現在の資産価値の額を前記転送すべき資産価値の額だけ減らすステップ，を含む」
点で共通する。
（３−７）上記（３−４）で示した引用発明の「転出情報」の「電子財布端末１００」への出力は，「出金側ＩＣカード１２０ａ」の「カードインターフェース２０３」によりなされるものであり，また，その後「電子財布端末１００は，この応答５３８から暗号化転出情報５９４を取り出して前記送金先のメールアドレス９０５に送付するものであり，電子メールホスト装置１３０の記憶装置１３７に置かれたメールボックス１３９の送金先のメールアドレス９０５を保持するユーザーの記憶域に，暗号化転出情報を含み，「送金メール：」という題名を付与された電子メールが蓄積されるもの」であることから，「出金側ＩＣカード１２０ａ」で生成した「転出情報」が「カードインターフェース２０３」により「公衆回線１１７」を介して送信されるものである。
　そうすると，引用発明の「カードインターフェース２０３」も，本願発明の「通信媒体を介してメッセージを送信するよう構成されたインターフェイス」であるといえる。
（４）本願発明のａ）の処理と，引用発明の（ｉｉ）で示す処理を対比する。
（４−１）引用発明の（ｉｉ）で示す処理は，「送金先のメールアドレス９０５を保持するユーザーが電子財布端末１００において「メール送受信」を選択し，さらに「マネーメール受信」を選択する」と実行される処理であり，まず「電子財布端末１００」により「電子メールホスト装置１３０に接続し（ステップＳ９０１），当該ユーザー宛ての新着メールのリストを取得し（ステップＳ９０３），この後，「送金メール：」という題名のメールがあるかを判定し（ステップＳ９０５），該当するメールのうち古い者から順に１件受信し（ステップＳ９０７），受信メールから暗号化転出情報５９４を取り出し（ステップＳ９０９），分離した暗号化転出情報５９４をバリュー転入コマンド５９６に変換し，受取側ＩＣカード１２０ｂに発行し（ステップＳ９１１）」との処理が行われ，次に「これに対してＩＣカード１２０ｂはコマンド判定ステップＳ１００３からバリュー転入ステップＳ１０１３に移行する」ものであり，該「バリュー転入コマンド５９６」により（ｉｉ）で示す「バリュー転入ステップＳ１０１３」が実行されてバリューの転入が行われるものである。
　また，上記「バリュー転入コマンド５９６」は，受信メールから取り出して分離した「暗号化転出情報５９４」を変換したものであるが，「コマンド５９２に付加されている暗号化転出情報５９４を，発行者暗号鍵２３２を用いてＤＥＳ復号化して転出情報とし（ステップＳ１５０１）」との事項から，該「バリュー転入コマンド５９６」は「コマンド５９２」と「暗号化転出情報５９４」で構成されるものであり，当該「暗号化転出情報５９４」は，上記（３−４）で示したように「転出情報」を暗号化したものであって，該「転出情報」には「引き出し金額５５４」が含まれている。
　そして，「電子財布端末１００」から発行された上記「バリュー転入コマンド５９６」は，該「電子財布端末１００」の「受取側カードインターフェース１１１ｂ」と接続された「受取側ＩＣカード１２０ｂ」の「カードインターフェース２０３」を介して受け取られるものであるから，該「バリュー転入コマンド５９６」に含まれ，前記「引き出し金額Ｖ５５４」を含む「転送情報」を「受取側ＩＣカード１２０ｂ」が受け取ることは，本願発明の「前記インターフェイスを介して，少なくとも転送すべき資産価値の額を含む資産転送メッセージを受け取り」に相当するものである。
（４−２）引用発明では「バリュー転入コマンド５９６」により「ＩＣカード１２０ｂ」は「バリュー転入ステップＳ１０１３に移行する」ものであり，該「バリュー転入ステップＳ１０１３」は，「送金者のＩＣカード１２０から受取者のＩＣカードにメールで電子バリューを移動させる際に，送金者のＩＣカードにて行われるステップ」であることから，引用発明の「バリュー転入ステップＳ１０１３」は本願発明の「転送インプロセス」に対応するものである。
（４−３）引用発明の「バリュー転入ステップＳ１０１３」では，まず「コマンド５９２に付加されている暗号化転出情報５９４を，発行者暗号鍵２３２を用いてＤＥＳ復号化して転出情報とし（ステップＳ１５０１），該データの内容から計算されるチェックサムと，転出情報内チェックサム５３６が一致するか確認し（ステップＳ１５０３），一致する場合は正常と判断し，転出情報内の受取側カード識別５７６が自カード（受取側）識別２３０と一致するか確認し（ステップＳ１５０５）」との処理が行われる。
　次に，「一致する場合には，転入履歴２３４に前記転出情報内の出金側カード識別５６４が記録されているかを判定し（ステップＳ１５０７），ここで転入履歴２３４には過去にバリュー転入ステップＳ１０１３を正常に終了した時の出金側カード識別５６４と，同識別で最も最近（最後）にバリュー転入ステップＳ１０１３を行った際の出金側取引カウンター５６０の値を組み合わせて保持しており，転入履歴２３４内に前記転出情報内の出金側カード識別５６４があれば，転入履歴２３４で検出した出金側カード識別５６４と対で記憶している出金側取引カウンター５６０の値と，転出情報内の出金側取引カウンター５６０の値を比較し（ステップＳ１５０９）」との処理が行われ，さらに「転出情報内の出金側取引カウンター５６０の値が大きければ，カード１２０のバリュー残高２３８に転出情報内の引き出し金額Ｖ５５４の値を加算し（ステップＳ１５１１），転入履歴に，転入しようとする出金側カード取引カウンター５６０の値と等しい，もしくはそれを超える取引カウンター５６０の値が残っている場合，過去に転入済みのメールを再度転入に使用したと判定し，エラー応答を送出し（ステップＳ１５１７），転入履歴２３４内に前記転出情報内の出金側カード識別５６４が無ければ，カード１２０のバリュー残高２３８に転出情報内の引き出し金額Ｖ５５４の値を加算し（ステップＳ１５１１）」との処理が行われるものである。
　ここで，「転入履歴２３４」は「過去にバリュー転入ステップＳ１０１３を正常に終了した時の出金側カード識別５６４と，同識別で最も最近（最後）にバリュー転入ステップＳ１０１３を行った際の出金側取引カウンター５６０の値を組み合わせて保持」するものであり，また，「取引カウンター５６０」は，前記（３−４）で示したように「取引カウンタの値は，取引毎の唯一な番号（個々の譲渡を特定可能なユニークな番号）を有し，取引（譲渡）管理を示す譲渡管理番号」を意味するものである。
　そして，上記「転入履歴２３４に前記転出情報内の出金側カード識別５６４が記録されているかを判定し（ステップＳ１５０７）」，及び，「転入履歴２３４内に前記転出情報内の出金側カード識別５６４があれば，転入履歴２３４で検出した出金側カード識別５６４と対で記憶している出金側取引カウンター５６０の値と，転出情報内の出金側取引カウンター５６０の値を比較し（ステップＳ１５０９）」との判定及び比較処理により，「転入履歴２３４内に前記転出情報内の出金側カード識別５６４が無ければ」または「転出情報内の出金側取引カウンター５６０の値が大きければ」と判定された場合にのみ「カード１２０のバリュー残高２３８に転出情報内の引き出し金額Ｖ５５４の値を加算し」との処理が行われ，また，「転入履歴に，転入しようとする出金側カード取引カウンター５６０の値と等しい，もしくはそれを超える取引カウンター５６０の値が残っている場合，過去に転入済みのメールを再度転入に使用したと判定し，エラー応答を送出し（ステップＳ１５１７）」との処理が行われるものであり，当該処理は受け取った「転出情報」に含まれる「出金側カード識別５６４」と「出金側取引カウンター５６０の値」を，「転入履歴２３４」に記録された「正常に終了した時の出金側カード識別５６４と，同識別で最も最近（最後）にバリュー転入ステップＳ１０１３を行った際の出金側取引カウンター５６０の値を組み合わせ」と比較することにより，重複であるかどうかを判定し，重複でないならば「カード１２０のバリュー残高２３８に転出情報内の引き出し金額Ｖ５５４の値を加算し」との処理が行われるものであり，それにより引用発明では「電子メールは受信者から他の受信者に転送することが容易に行え，その後再度元の受信者に戻すことで２つ以上の複製を作ることも容易であり，このような複製手段で送金メール自体を複製することは可能であるが，最初のメールに対するバリュー転入ステップＳ１０１３で転入履歴２３４に出金側カード識別５６４と取引カウンター５６０を記憶し，過去に転入処理を行った取引カウンターの値よりも小さな取引カウンターを持つ電子バリューの転入を禁止することにより，２回目以降の電子バリューの転入を阻止することができる」との効果を得られるものである。
　そうすると，本願発明と引用発明は，後記する点で相違するものの，
「転送インプロセスは，受け取った資産転送メッセージを前記ログに記録された先に受け取った資産転送メッセージと比較することにより，受け取った資産転送メッセージが重複であるかどうか判定するステップ，前記受け取った資産転送メッセージが重複でないならば，前記現在の資産価値の額を転送すべき資産価値の額だけ増加させるステップ」
を備える点で共通する。
（４−４）引用発明は，「続いて転入履歴２３４に転出情報内の出金側カード識別５６４と該情報内の出金側取引カウンター５６０の値の対を書き込み（ステップＳ１５１３），正常終了応答５２８を電子財布端末１００に出力し（ステップＳ１５１５），バリュー転入ステップＳ１０１３を終了し」との処理が行われるものであり，この「転入履歴２３４に転出情報内の出金側カード識別５６４と該情報内の出金側取引カウンター５６０の値の対を書き込み（ステップＳ１５１３）」は，本願発明の「資産転送の情報を前記ログに記録するステップ」に相当するものである。
（４−５）そして，引用発明は，「バリュー転入ステップＳ１０１３」を実行することにより，「カード１２０のバリュー残高２３８に転出情報内の引き出し金額Ｖ５５４の値を加算し（ステップＳ１５１１）」との処理が行われ，「電子財布」である「受取側ＩＣカード１２０ｂ」に「引き出し金額Ｖ５５４」（「資産価値」）の「加算」（転送）が記録されるものであることから，引用発明のこれらの処理は本願発明の「転送インプロセスを実行して対応する資産価値の転送を前記電子財布に記録し」に相当するものである。
（４−６）以上の（４−１）〜（４−５）の検討によれば，本願発明と引用発明は，後記する点で相違するものの，
「ａ）前記インターフェイスを介して，少なくとも転送すべき資産価値の額を含む資産転送メッセージを受け取り，転送インプロセスを実行して対応する資産価値の転送を前記電子財布に記録し，該転送インプロセスは，受け取った資産転送メッセージを前記ログに記録された先に受け取った資産転送メッセージと比較することにより，受け取った資産転送メッセージが重複であるかどうか判定するステップ，前記受け取った資産転送メッセージが重複でないならば，前記現在の資産価値の額を転送すべき資産価値の額だけ増加させるステップ，および資産転送の情報を前記ログに記録するステップを含む」
点で共通する。
（４−７）上記（４−１）で示したように，引用発明の「転出情報」は，「電子財布端末１００」の「受取側カードインターフェース１１１ｂ」を介して，「受取側ＩＣカード１２０ｂ」の「カードインターフェース２０３」により受信されるものであり，また，当該「転出情報」は「公衆回線１１７」を介して受信されたものである。
　そうすると，引用発明の「カードインターフェース２０３」も，本願発明の「通信媒体を介してメッセージを受信するよう構成されたインターフェイス」であるといえる。
（５）以上の（１）〜（４）によれば，本願発明と引用発明は，以下の点で一致し，また，相違する。
＜一致点＞
「通信媒体と，少なくとも２つの電子財布と，を備える電子資産交換システムであって，
前記電子財布のそれぞれは，
　前記通信媒体を介してメッセージを送受信するよう構成されたインターフェイスと，
　少なくとも現在の資産価値の額と，それぞれ特異な識別子と，資産転送のログと，を記憶するメモリと，
　前記インターフェイスおよび前記メモリに動作的に結合したコントローラと，
　を備え，該コントローラは，命令コードの制御下で
　ａ）前記インターフェイスを介して，少なくとも転送すべき資産価値の額を含む資産転送メッセージを受け取り，転送インプロセスを実行して対応する資産価値の転送を前記電子財布に記録し，該転送インプロセスは，受け取った資産転送メッセージを前記ログに記録された先に受け取った資産転送メッセージと比較することにより，受け取った資産転送メッセージが重複であるかどうか判定するステップ，前記受け取った資産転送メッセージが重複でないならば，前記現在の資産価値の額を転送すべき資産価値の額だけ増加させるステップ，および資産転送の情報を前記ログに記録するステップを含む，
　ｂ）前記インターフェイスを介して，少なくとも転送すべき資産価値の額を含む資産転送メッセージを受け取り，転送アウトプロセスを実行して前記電子財布からの対応する資産価値の転送を記録し，該転送アウトプロセスは，前記現在の資産価値の額が転送すべき資産価値の額以上であるかどうかを判定するステップ，前記判定が肯定であるならば，転送すべき資産価値の額を含む資産転送メッセージを生成して送信するステップ，前記現在の資産価値の額を前記転送すべき資産価値の額だけ減らすステップ，を含む
　上記ａ），ｂ）を行う，前記電子資産交換システム。」
    　
＜相違点＞
　本願発明のｂ）における「転送アウトプロセス」では，「資産転送の情報を前記ログに記録するステップ」を備えているが，当該「転送アウトプロセス」に相当する引用発明の「バリュー転出ステップＳ１０１１」ではそのようなステップを備えていない点。
　　
３．相違点についての判断
　いわゆる電子財布として使用されるＩＣカードについて，
　例えば，特開２００１−３０７０４８号公報には，
「【０００１】
【発明の属する技術分野】
　この発明は，
電子財布などと称される金銭支払い機能を有するＩＣカード
　・・・（途中省略）・・・
【０００９】更に，ＩＣモジュール１は図３に示されるように構成されている。ＩＣモジュール１には，ＣＰＵ３０１，ＥＥＰＲＯＭ３０２，コプロセッサ３０３，ＲＯＭ３０４，ＲＡＭ３０５，バッテリ３０６が具備されている。ＣＰＵ３０１は，ＩＣカード全体を制御しＲ０Ｍ３０４に記憶されたアプリケーションプログラム等を実行するものである。ＥＥＰＲＯＭ３０２には，電子財布として用いるための金額情報や所有者認証用のオーナ固有データ，送金履歴に使用される所有者名情報等が書き込まれている。コプロセッサ３０３は，所有者認証の際の演算などを行うものである。ＲＯＭ３０４には，ＩＣカードにおいて用いられるＯＳやアプリケーションなどのプログラムが記憶され，ＲＡＭ３０５は，アプリケーションプログラムの実行の際ワーキングエリアとして用いられる。バッテリ３０６は，各部に電源供給を行うものであり，充電可能な構成を有している。
【００１０】図４には，
ＥＥＰＲＯＭ３０２に記憶される金額情報，入金出金履歴情報のテーブル（金銭情報記憶手段）の一例が示されている。このテーブルは，年月日時分の情報，入金と出金の金額の情報，残高の情報，備考として取引に係る相手名と識別ＩＤが記憶されるように構成され
【００１１】赤外線通信モジュール２は，同様の赤外線通信モジュールを有する他のＩＣカード，金融機関や小売店などに設置された電子端末との間において通信を行う機能を有する。
赤外線通信モジュール２を介したＩＣカード間において，又はＩＣカードと上記電子端末との間において，金銭に係る取引を行い，その履歴がＣＰＵ３０１によってＥＥＰＲＯＭ３０２の上記テーブルに反映される
　また，特開２００３−１０８９０４号公報には，
「【００４８】［電子マネーカード］
電子マネーカード３５０は，電子マネーを使用するための電子財布として機能するＩＣカードであり
【００４９】制御部３５２はメモリ３５４に対するデータの読み書きの制御，及びカードリーダ３１０とデータ通信を行うための通信部３５６の制御，その他の制御を行う。
【００５０
】メモリ３５４には，図３に示されているようなカード情報が記憶されている。カード情報は
電子マネーの残高，入金履歴，出金履歴
【００５１】なお，独自ＩＤとは，電子マネーカードＩＤ又は該顧客を識別するための他の識別情報に一義的に変換可能な情報である。即ち，インターネット等を経由して電子マネーカードＩＤを含む情報の送受信を行った場合に，該情報が外部に漏洩する恐れがあり，該電子マネーカードＩＤを悪用されかねないので，端末３００からはこの独自ＩＤを含む情報を送信し，これを受信したマネーサーバ２００において，該独自ＩＤに基づいて電子マネーカードＩＤあるいは該顧客を識別するための他のＩＤに変換することにより，電子マネーカードＩＤ等の重要な情報を保護するために使用する識別情報である。
【００５２】電子マネーカード３５０をカードリーダ３１０に近接させる（かざす）と，カードリーダ３１０から情報の読出命令又は情報の書込命令がなされるので，通信部３５６を介してこれを受信し，情報の読出命令である場合には，メモリ３５４からカード情報を読み出して，カードリーダ３１０に送信し，
情報の書込命令である場合には，カードリーダ３１０から送られてくる書込情報（残高，入金履歴，出金履歴等）をメモリ３５４に書き込む
と記載されているように，入金履歴と出金履歴の両方の履歴を電子財布として使用されるＩＣカード内のメモリに記録することは周知の技術である。
　そして，一般に金銭の授受においては，その証拠としてそれぞれの記録を残すことは商取引上の常識であり，また，電子財布の技術においてもその証拠として入金履歴と出金履歴の両方の記録を残しておくことは上記のように周知の技術であることから，引用発明の「電子財布であるＩＣカード１２０」においても，「バリュー転入ステップＳ１０１３」における入金履歴に相当する「転入履歴２３４」の記録に加えて，さらに「バリュー転出ステップＳ１０１１」においても出金履歴として，電子バリューの転出の履歴を記録することにより金銭の授受の証拠を残し，上記相違点に係る構成とすることは，当業者であれば容易に想到しえたことである。
　そして，本願発明の奏する作用効果は，引用発明及び周知技術の作用効果から予測される範囲内のものにすぎず，格別顕著なものということはできない。
    　
４．まとめ
　以上のとおり，本願発明は，引用発明及び周知技術に基づいて当業者が容易に発明をすることができたものであるから，特許法第２９条第２項の規定により特許を受けることができないものである。
　　
第４　むすび
　以上のとおり，請求項１に係る発明は，引用発明及び周知技術に基づいて当業者が容易に発明をすることができたものであり，特許法第２９条第２項の規定により特許を受けることができないものであるから，その余の請求項について検討するまでもなく，本願は拒絶すべきものである。
　
　よって，結論のとおり審決する。